(57)【要約】【課題】本発明の目的は、空気を効果的に除菌する方法およびその装置を提供することである。【解決手段】部屋の空気の除菌方法であって、クマザサ抽出成分を含むフィルタに、ファンで部屋の空気を強制的にフィルタに送風させることを特徴とする部屋の除菌方法。クマザサ抽出成分を含むフィルタ、フィルタに部屋の空気を送風させるファン、および、フィルタを加湿させる加湿器を備えた部屋の空気の除菌装置。クマザサ抽出成分を含むフィルタ、フィルタに部屋の空気を送風させるファン、および、クマザサ抽出成分供給源とは異なるフィルタを加湿させる加湿器を備えた部屋の空気の除菌装置。【特許請求の範囲】
【請求項１】
部屋の空気の除菌及び除ウイルス方法であって、クマザサ抽出成分を含むフィルタに、ファンで部屋の空気を強制的にフィルタに送風させることを特徴とする部屋の除菌及び除ウイルス方法。
【請求項２】
さらに、フィルタを加湿させることを特徴とする請求項１記載の除菌及び除ウイルス方法。
【請求項３】
クマザサ抽出成分を含むフィルタ、フィルタに部屋の空気を送風させるファン、および、フィルタを加湿させる加湿器を備えた部屋の空気の除菌及び除ウイルス装置。
【請求項４】
クマザサ抽出成分を含むフィルタ、フィルタに部屋の空気を送風させるファン、および、クマザサ抽出成分供給源とは異なるフィルタを加湿させる加湿器を備えた部屋の空気の除菌及び除ウイルス装置。
【発明の詳細な説明】
【０００１】
【発明の属する技術分野】
本発明は、部屋の空気の除菌及び除ウイルス方法および除菌及び除ウイルス装置に関する。なお、本発明では、細菌、真菌などの菌類、ウイルスなどの微生物を称して菌という。
【０００２】
【従来の技術】
近年、院内感染防止など部屋の空気の除菌対策が注目されつつある。これまで、ファンとフィルタを用いた芳香放出器や空気清浄器などがあったが、主として塵などの粒子をフィルタで回収するものであり、効果的に除菌することを目的とするものではなかった。
【０００３】
一般に細菌を殺すのは細菌が栄養を取り込みたんぱく質などを作って増える生物であり、抗生物質を投与すると細菌は栄養物といっしょに取り込みその毒性で死ぬことが知られており、抗生物質は細菌に取り込まれやすいように作られている。一方、ウイルスはたんぱく質の殻とその中に遺伝情報だけを持つ粒子であり、動物の細胞に寄生し細胞を壊しながら増え続けるため炎症を起こし病気になる。だが、ウイルスは抗生物質を取り取り込まないため効果はなく、強い薬でたたこうとすると細胞まで殺してしまう。ウイルスの感染症には予防を目的にしたワクチンが有効である。毒性を弱めたウイルスを注射して、ウイルスに対する免疫を作れば感染しにくくなる。従って細菌とウイルスでは明らかに死滅させるメカニズムが異なっている。
【０００４】
一方、クマザサ抽出成分は、抗菌性、抗腫瘍性対策に有効であることが判明している（特許文献１参照）。しかし、クマザサ抽出成分がこの細菌とウイルスの両方の防御に有効であることを発見した。このように、真菌、細菌などの菌類、ウイルスなどの広範囲な微生物の繁殖抑制に効果がある材料は他に知られていない。
【０００５】
【特許文献１】ＷＯ９９／６２４４４号パンフレット
【０００６】
【発明が解決しようとする課題】
本発明の目的は、空気を効果的に除菌する方法およびその装置を提供することである。
【０００７】
【課題を解決するための手段】
本発明は、部屋の空気の除菌及び除ウイルス方法であって、クマザサ抽出成分を含むフィルタに、ファンで部屋の空気を強制的にフィルタに送風させることを特徴とする部屋の除菌及び除ウイルス方法に関する。
【０００８】
また、本発明は、さらに、フィルタを加湿させることを特徴とする上記除菌方法に関する。
【０００９】
また、本発明は、クマザサ抽出成分を含むフィルタ、フィルタに部屋の空気を送風させるファン、および、フィルタを加湿させる加湿器を備えた部屋の空気の除菌及び除ウイルス装置に関する。
【００１０】
また、本発明は、クマザサ抽出成分を含むフィルタ、フィルタに部屋の空気を送風させるファン、および、クマザサ抽出成分供給源とは異なるフィルタを加湿させる加湿器を備えた部屋の空気の除菌及び除ウイルス装置に関する。
【００１１】
【発明の実施の形態】
本発明は、部屋の空気を除菌及び除ウイルスするものである。ファンによって、部屋の空気をフィルタに向けて送風し、フィルタに菌を捕捉させる。フィルタには、クマザサ抽出成分が含まれているので、捕捉された菌などの繁殖を防ぎ、結果として空気が除菌及び除ウイルスされるものである。
【００１２】
フィルタは、ファンの送風が通過する程度に穴を有するか、網状となっておればよく、通常、シート、布または不織布が用いられる。菌は物理的にフィルタに捕捉されればよいので、必ずしも菌が通過しないほど小さな穴でなくてもよい。
【００１３】
具体的には、粗塵用フィルター，中性能フィルター，準高性能フィルター，高性能フィルター（ＨＥＰＡ），超高性能フィルター（ＵＬＰＡ）があるが、高性能フィルター以下の密度のものがこのクマザサ抽出成分を用いると効果的である。
【００１４】
シートは、捕捉効果を高めるために、さらに、活性炭やゼオライトなどの多孔質の材料、タッキファイヤーなどの粘着質の材料などで処理されていても良い。
【００１５】
捕捉された菌は、すべてが殺菌される必要はなく、前記多孔質の材料や粘着質材料に捕捉されていればよい。
【００１６】
本発明で用いられるフィルタは、クマザサ抽出成分を含んでいる。フィルタにクマザサ抽出物を含ませるには、特に限定はなく、フィルタ基材に、クマザサ抽出成分を含む液または粉を噴霧、塗布、散布、含浸などすればよい。フィルタは、定期的にクマザサ抽出成分を追加して含ませる必要があるが、フィルタを装置より取り外してもよいし、装置内にフィルタに噴霧、塗布、散布、含浸などする装置を付加させてもよい。また、フィルタが閉曲線上を移動し、常時または間欠的ににクマザサ抽出成分を含む液または粉を噴霧、塗布、散布、含浸などできるようにしてもよい。
【００１７】
本発明で使用されるクマザサ抽出成分とは、イネ科クマザサから抽出される「ササ配糖体」を主成分とする成分である。「ササ配糖体」は、キシロース、アラビノース等のペントース（五炭糖）、ガラクトース、グルコース等のヘキソース（六炭糖）を構造単糖とする。
クマザサ抽出成分は、クマザサを水、アルコールなどの抽出溶剤に浸漬等してクマザサ抽出液として得ることができる。また、市販品として入手もできる。クマザサ抽出液は適宜、水等で希釈して使用することができる。
【００１８】
本発明に使用するクマザサ抽出液は、例えば、クマザサの生葉または乾燥葉、好ましくは乾燥葉を、６０〜１３０℃の水で常圧または加圧抽出して得られるものが好ましい。
【００１９】
抽出方法は特に限定されないが、例えば特許３２１２２７８号公報に記載された方法を使用できる。
【００２０】
また、クマザサ抽出液は、スプレードライ、凍結乾燥、デキストリンなどの造形剤の添加等で一旦、粉状にすることができる。また、さらに、濾過、カラム精製、溶剤洗浄、溶剤抽出などの選別工程を経たものであってもよい。
【００２１】
クマザサ抽出液を抗菌性および抗ウイルス性液として用いる場合は、従来使用されてきた濃度より高濃度で用いるのが好ましく、上記液中に含まれるクマザサ抽出成分の固形量は、１〜５０重量％で用いることが好ましい。クマザサ抽出成分は、様々な菌類ウイルス類に対して抗菌性及び抗ウイルス性が発揮され、例えば、大腸菌、黄色ブドウ球菌、緑膿菌、破傷風菌、クロストリジウム属ガス壊疸菌、カンジタ菌、白癬菌、ケカビ、クモノスカビ、アスペルギルス属菌、クリプトコッカス属菌、コクシジオイデス属菌、ヒストプラズマ属菌、
ヘルペスウイルス、コロナウイルスなどの菌またはウイルスに対する抗菌性及び抗ウイルス性を示すことが期待できる。
【００２２】
本発明の抗菌性及び抗ウイルス性材料は、抽出液のまま、あるいは、種々の溶剤や水に溶解または分散して用いることができる。さらに、必要に応じて、その他の抗菌性材料、種々の添加剤、例えば、保湿材、着色剤、粘度調整剤、乳化剤、分散剤、紫外線吸収剤、酸化防止剤、芳香剤、吸着剤などを添加してもよい。
【００２３】
その他の抗菌剤としては、銀系・銅系の無機系や有機物系の抗菌剤が挙げられる。
【００２４】
保湿材としては、一般に吸湿性のあるものであればよく、特に限定されない。樹脂系内に水酸基やカルボン酸基のようなものを有しているものが代表してあげられ、アクリル酸類、ポリエチレングリコール等のグリコール類、水系ウレタン樹脂、ポリビニルアルコール樹脂、ポリビニルピロリドン、ポリエチレンオキサイド、ポリエチレングリコール鎖を有するポリエステル樹脂、ポリエチレングリコール鎖を有するポリウレタン樹脂、吸水性アクリル樹脂等が挙げられる。
【００２５】
着色剤としては特に限定させないが、食用色素、クロロフィル等の食品添加物として認められている色素が望ましい。
【００２６】
粘度調整剤としては、アクリル樹脂、ポリ酢酸ビニルおよびその鹸化物、ポリエステル、ポリエーテルなど公知の樹脂やワックスが挙げられる。樹脂などの使用は、菌の増殖を助長する水や酸素や栄養源の外部からの供給を遮断する効果と、クマザサ抽出成分の基材からの流出を抑える効果が期待できる。
【００２７】
乳化剤、分散剤、紫外線吸収剤、酸化防止剤、芳香剤などは、特に限定されないが人体に問題がないか影響の少ないものが望ましい。
【００２８】
吸着剤としては、例えば活性炭の炭素系、シリカ、アルミナ、マグネシア、ムライト、モンモリロナイト、ベントナイト、カオリン、ゼオライト、スメクタイト、ハロイサイト、カオリナイト、ケイソウ土、酸性白土、酸化チタン等のセラミック系、などの無機多孔質が挙げられる。
【００２９】
抗菌性及び抗ウイルス性フィルタは、通常、不織布や布、紙、多孔質プラスチックのような透気性を有する基材に、本発明のクマザサ抽出成分と無機多孔質（必要に応じて添加剤を含む）を混合した塗布液を、塗布・含浸させたものであるが、クマザサ抽出成分を先に塗布・含浸させてから無機多孔質を積層させても構わないし、先に無機多孔質を先に塗布、後からクマザサ抽出成分を塗布・含浸させても構わない。
【００３０】
ここで使用する不織布としては、ポリエステル系、レーヨン系、ビニロン系、ポリプロピレン系、ナイロン系、アクリル系、アラミド系、等の布状、紙状、綿状の形態であり、スパンボンド法等につくられるものである。
【００３１】
本発明の抗菌性及び抗ウイルス性材料は、刷毛、浸漬、ローラ、スプレー、注入、塗工機など種々の塗布方法により、基材に塗布することが可能である。塗工方法としては、ディップコート、コンマコート、グラビアコート、カーテンコート、ダイコート、リップコート、マイクログラビアコート、スロットダイコート、リバースコート、キスコート等が挙げられる。クマザサ抽出成分に混合せずに別に無機多孔質を塗布する場合は、粉体噴霧のような方法を用いる事も可能である。
【００３２】
塗布量は、クマザサ抽出成分の固形分で、基材１ｍ２あたりに０．１〜１５０ｇ塗布するのがよい。特に５〜１００ｇが望ましい。ここで一般的な不織布中のクマザサ抽出成分の含有量（固形分）は２５重量％以上である。この塗布量が多い場合は、その抗菌性及び抗ウイルス性効果が高くなるが、あまり経済的ではない。塗布量が少なすぎると抗菌性及び抗ウイルス性性効果が小さくなる。
【００３３】
本発明の除菌及び除ウイルス装置は、フィルタに向けて水を供給する加湿装置を併用することで、除菌及び除ウイルス性の効果の向上が期待できる。加湿装置は、水槽などの水源に、ポンプ、熱源、超音波などで強制的に水を噴霧、揮発させるものであっても、単に水槽などの水源だけで自然に揮発させたり水滴を落下させるものであってもよい。通常は、フィルタの付近に水源を設置し、部屋の空気と共にフィルタに移送させる。加湿器は、クマザサ成分の供給の過程とは独立して、フィルタを加湿できることが好ましい。また、加湿器は、連続的に作動しても、断続的に作動しても、定期的に作動しても、マニュアルで作動してもよい。
【００３４】
ファンは、市販の物が好適に使われる。ファンの位置は、フィルタに空気が送風されれば、フィルタの前であっても、後であってもよい。
【００３５】
本発明を、図１および２でさらに詳細に説明する。図１では、独立した加湿器を備えない除菌及び除ウイルス装置の概念図である。ファン２が回転すると、吸気口７から取り込まれた部屋の空気は、強制的にフィルタ３に当てられる。フィルタ３は、回転可能で、抗菌性及び抗ウイルス性水溶液の中を通過することにより、新しい抗菌性及び抗ウイルス性材料が付着する。取り込まれた空気は、フィルタ３で除菌され、除菌された空気が排気口１から排気される。
【００３６】
図２では、フィルタ３は、固定されている。フィルタ３は、予め、本発明の抗菌性及び抗ウイルス性材料を含んでいる。ファン２が回転すると、吸気口７から取り込まれた部屋の空気は、強制的にフィルタ３に当てられ、除菌及び除ウイルスされ、排気口１より排気される。加湿器８は、フィルタ３付近にあって、水を噴霧でき、フィルタを加湿することができる。
【００３７】
【発明の効果】
本発明により、効果的に院内感染などのおそれのある部屋の空気の菌類やウイルスを除菌することできる。
【図面の簡単な説明】
【図１】図１に、本発明の除菌及び除ウイルス装置の概念図を示す。
【図２】図２に、本発明の除菌及び除ウイルス装置の概念図を示す。
【符号の説明】
１  排気口
２  ファン
３  フィルタ
４  抗菌性水溶液を貯蔵する槽
５  本発明の抗菌性材料を含む水溶液
６  本体カバー
７  吸気口
８  加湿器
【図１】
2004321533.tif 000002
【図２】
2004321533.tif 000003